(57)【要約】【課題】  小体積でカードの抜き取りに便利なメモリカードアダプタの提供。【解決手段】  アダプタ本体とトレイを具え、トレイがアダプタ本体内部の収容空間内に置かれ、該収容空間内にプッシュスイッチが設けられ、該トレイに異なるメモリカードを載置できるスロットが設けられ、底部に弾性部品が設けられて収容空間底部に当接し、連接棒の一端がトレイに枢設され、別端がガイドブロックの滑り溝内に係止され、トレイが連接棒に駆動されて滑り溝内で循環動作して位置決めされ、並びに収容、開放の循環モードを形成する。【選択図】        図１
0003104569.tif 000002
【実用新案登録請求の範囲】
【請求項１】
アダプタ本体とトレイを具え、該アダプタ本体の内部に複数組の端子と収容空間が設けられ、且つ該収容空間がアダプタ本体の一端に開口を具え、別端の閉合壁に複数の端子溝が設けられているメモリカードアダプタにおいて、
収容空間の開口の一側にプッシュスイッチが設けられ、該プッシュスイッチがガイドブロックを具え、且つ該ガイドブロックに滑り溝が設けられ、且つ該滑り溝の底縁に円弧部が設けられ、
該収容空間内に設けられたトレイの載置面上にメモリカードを載置するスロットが設けられ、該スロットの外端及び内端に幅の異なるＳＤ部とＭＳ部が設けられている。該トレイの最外縁に突出する端子が設けられ、トレイの底部に弾力溝が設けられ、弾力溝内に弾性部品が設けられ、該弾性部品が収容空間底部に当接し、トレイが弾性部品の押圧を受けて外向きに弾性突出し、
連接棒の一端がトレイに枢設され、別端がガイドブロックの滑り溝内に係合し、トレイが連接棒の駆動を受けて滑り溝内で循環動作して位置決めされ、収容と開放を交互に行なう循環形式を発生することを特徴とする、メモリカードアダプタ。
【請求項２】
請求項１記載のメモリカードアダプタにおいて、アダプタ本体の閉合壁に設けられた複数の端子溝が逆Ｔ形に形成され、その幅広のスリットが端子の挿入に供され、縦の溝が放熱用の空間とされたことを特徴とする、メモリカードアダプタ。
【請求項３】
請求項１記載のメモリカードアダプタにおいて、アダプタ本体の一端の二組の端子が並列方式で設計され、中央に一組の端子が設置され、その両側に別の一組の端子が設置されることを特徴とする、メモリカードアダプタ。
【請求項４】
請求項１記載のメモリカードアダプタにおいて、滑り溝が相互に接続された直線式圧力釈放道と環形道で構成され、且つ円弧部が環形道の底縁に設けられたことを特徴とする、メモリカードアダプタ。
【請求項５】
請求項４記載のメモリカードアダプタにおいて、環形道が三角形とされたことを特徴とする、メモリカードアダプタ。
【考案の詳細な説明】
【技術分野】
【０００１】
本考案は一種のメモリカードアダプタに係り、特に、アダプタ本体内にトレイが設けられ、該トレイが該アダプタ本体内に弾性設置され、トレイが連続して押圧動作を受ける時、収容、開放の循環モードの動作を発生してメモリカードの出し入れに便利とされた、メモリカードアダプタに関する。
【背景技術】
【０００２】
現代生活中の携帯型電子機械器具、例えば、デジタルカメラ、ノートブック型コンピュータ或いはＰＤＡ等の大半にはいずれもメモリカードの使用機能が配備され、このような精密さを標榜する電子製品に対する消費者の選択要件は、体積が小さく、抜き取りに便利で、耐用性があることであり、既存のメモリカードアダプタはこの方向に向けて前進している。
【０００３】
現在市販されて比較的普及しているメモリカードアダプタは、少なくともＭＳカード、ＳＭカード、ＳＤカード、ＭＭカード等の四種類のメモリカードアダプタを一つに整合させている。使用時にメモリカードの大半は全体がスロット中に挿入され、さらに取り出す時は往々にして指でメモリカードの僅かに突出する辺縁部分をつまんで引き出すが、指先による挟持が不安定であると、メモリカードが脱落したり滑ったりし、使用上、不便である。
【０００４】
このほか、周知のメモリカードアダプタは後端の２列の端子がそれぞれメモリカードアダプタの上下二端に配列され、相互に対応状を呈し、上端と下端にいずれも端子を嵌めなければならず、ゆえにメモリカードアダプタ全体の高度を縮減できず、体積縮小の目的を達成できない。
【０００５】
さらに、前述の端子がメモリカードアダプタの後部より突出し、その端子孔は長方形を呈し、放熱空間を保留するため、その固定力は弱く、固定力を強めるためにもし端子孔の幅を細くすると、内部の熱気が排出できなくなる。
【考案の開示】
【考案が解決しようとする課題】
【０００６】
本考案の主要な目的は、アダプタ本体内に可動式の弾性を具えたトレイを設け、連続する押圧により進入或いは退出させて位置決めできるようにし、メモリカードの出し入れに便利としたメモリカードアダプタを提供することにある。
【課題を解決するための手段】
【０００７】
請求項１の考案は、アダプタ本体とトレイを具え、該アダプタ本体の内部に複数組の端子と収容空間が設けられ、且つ該収容空間がアダプタ本体の一端に開口を具え、別端の閉合壁に複数の端子溝が設けられているメモリカードアダプタにおいて、
収容空間の開口の一側にプッシュスイッチが設けられ、該プッシュスイッチがガイドブロックを具え、且つ該ガイドブロックに滑り溝が設けられ、且つ該滑り溝の底縁に円弧部が設けられ、
該収容空間内に設けられたトレイの載置面上にメモリカードを載置するスロットが設けられ、該スロットの外端及び内端に幅の異なるＳＤ部とＭＳ部が設けられている。該トレイの最外縁に突出する端子が設けられ、トレイの底部に弾力溝が設けられ、弾力溝内に弾性部品が設けられ、該弾性部品が収容空間底部に当接し、トレイが弾性部品の押圧を受けて外向きに弾性突出し、
連接棒の一端がトレイに枢設され、別端がガイドブロックの滑り溝内に係合し、トレイが連接棒の駆動を受けて滑り溝内で循環動作して位置決めされ、収容と開放を交互に行なう循環形式を発生することを特徴とする、メモリカードアダプタとしている。
請求項２の考案は、請求項１記載のメモリカードアダプタにおいて、アダプタ本体の閉合壁に設けられた複数の端子溝が逆Ｔ形に形成され、その幅広のスリットが端子の挿入に供され、縦の溝が放熱用の空間とされたことを特徴とする、メモリカードアダプタとしている。
請求項３の考案は、請求項１記載のメモリカードアダプタにおいて、アダプタ本体の一端の二組の端子が並列方式で設計され、中央に一組の端子が設置され、その両側に別の一組の端子が設置されることを特徴とする、メモリカードアダプタとしている。
請求項４の考案は、請求項１記載のメモリカードアダプタにおいて、滑り溝が相互に接続された直線式圧力釈放道と環形道で構成され、且つ円弧部が環形道の底縁に設けられたことを特徴とする、メモリカードアダプタとしている。
請求項５の考案は、請求項４記載のメモリカードアダプタにおいて、環形道が三角形とされたことを特徴とする、メモリカードアダプタとしている。
【考案の効果】
【０００８】
本考案は使用上、以下のような優れた点を有している。
１．本考案のトレイは毎回押圧する時、収容し、開放する循環モードを形成し、メモリカードの出し入れに便利である。
２．アダプタ本体の一端に二組の端子が設けられ、そのうち一組は中央位置に設けられ、両側がもう一組の端子の組み付け位置とされ、二組の端子がいずれもアダプタ本体の上側或いは下側に設けられるため、周知の両側に端子溝を設ける設計を省略でき、体積を縮小できる。
３．アダプタ本体の一側の閉合壁に複数の端子溝が設けられ、いずれも逆Ｔ形に形成され、この逆Ｔ形の幅広のスリットが端子の挿入に供され、ねじれや回転、変形を発生させにくく、縦向きの溝が放熱用の空間とされる。
【０００９】
本考案は使用に便利で、メモリカードアダプタの体積を減らすことができ、端子をしっかりと挟持でき放熱が良好である機能を有し、実用新案登録の要件に符合している。
【考案を実施するための最良の形態】
【００１０】
本考案のメモリカードアダプタは、アダプタ本体の収容空間内にトレイが設けられ、特に、該収容空間の開口の一側にプッシュスイッチが設けられ、該プッシュスイッチがガイドブロックを具え、且つ該ガイドブロックに滑り溝が設けられ、且つ該滑り溝の底縁に円弧部が設けられ、該収容空間内に設けられたトレイの載置面上にメモリカードを載置するスロットが設けられ、該スロットの外端及び内端に幅の異なるＳＤ部とＭＳ部が設けられている。該トレイの底部に弾性部品が設けられている。連接棒の一端がトレイの外側端に枢設され、別端はガイドブロックの滑り溝内に係合し、トレイが本体の収容空間内に押し込まれる時、プッシュスイッチの位置決めを受け、収容し、開放する循環モードを発生し、メモリカードの取り出しと挿入のいずれにも十分便利とされている。
【実施例１】
【００１１】
図１、３に示されるように、本考案のメモリカードアダプタはアダプタ本体１０とトレイ２０を具えている。該アダプタ本体１０の内部に複数組の端子６０、６１、６２及び収容空間１２が設けられ、且つ該収容空間１２はアダプタ本体１０の一端に開口１１を具え、別端の閉合壁に複数の端子溝１３を具えている。本考案の特徴は以下のとおりである。即ち、収容空間１２の開口１１の一側にプッシュスイッチ３０が設けられ、該プッシュスイッチ３０はガイドブロック４０を具え、且つガイドブロック４０に滑り溝４１が設けられ、該滑り溝４１は相互に連通する直線式圧力釈放道４１０と環形道４１１で構成され、該環形道４１１は最も好ましくは三角形とされ、且つ該環形道４１１の底縁に円弧部４１２が設けられる。
【００１２】
アダプタ本体１０の閉合壁に設けられた複数の端子溝１３は逆Ｔ形に形成され、その幅広のスリットは端子６１、６２の挿入に供され、縦向きの溝は放熱用の空間とされる。
【００１３】
図１に示されるように、上述の二組の端子６１、６２は並列式設計とされ、中央に一組の端子６１が設置され、両側にもう一組の端子６２が組み付けられ、二組の端子６１、６２はいずれもアダプタ本体１０の一側（上側或いは下側）に設けられ、ゆえに周知の別側の端子溝の設計を省略でき、これにより本考案の体積は更に縮減される。
【００１４】
図１、４に示されるように、収容空間１２内に設けられるトレイ２０はその載置面上にスロット２１が設けられ、該スロット２１は外端及び内端に幅の異なるＳＤ部２１ａとＭＳ部２１ｂが設けられている。さらに図４、５、６も参照されたい。トレイ２０の最も外縁に突出する端子６０が設けられ、ＸＤメモリカード７０の接続に供され、スロット２１のＳＤ部２１ａは、図６に示されるようにＳＤ型メモリカード７１の一端との接触に供される。ＭＳ部２１ｂはＭＳ型メモリカード７２の一端が直接底部まで押し込まれることで適用される。トレイ２０の底部には少なくとも一つの弾力溝２２が設けられ、その内部に弾性部品２３が設けられ、該弾性部品２３は収容空間１２の底部に当接し、トレイ２０が弾性部品２３の押圧を受けて外向きに弾性突出するよう付勢されている。
【００１５】
連接棒５０の一端はトレイ２０の外側端の適当な位置に枢設され、別端は図１に示されるガイドブロック４０の滑り溝４１内に係合している。
【００１６】
図１、２に示されるように、トレイ２０が収容空間１２内部に向けて押し込まれる時、弾性部品２３がトレイ２０を外向きに押し出すが、連接棒５０の端部が滑り溝４１底部の円弧部４１２に位置決めされて、暫時位置決め可能であり、もし更にトレイ２０を一回押すと、連接棒５０の端部が環形道４１１の左或いは右位置Ａ、Ｂより弾性突出し、圧力釈放道４１０の位置Ｃに滑り込み、こうして反復してトレイ２０を押して、トレイ２０を連接棒５０の滑り溝４１内の循環動作により位置決めでき、並びに収容しては開放する循環モードを発生させられ、メモリカードの出し入れに便利とされている。
【図面の簡単な説明】
【００１７】
【図１】本考案の平面構造表示図である。
【図２】本考案のプッシュスイッチの動作説明図である。
【図３】本考案の後端面図である。
【図４】本考案のトレイの第１種のメモリカード放置の表示図である。
【図５】本考案のトレイの第２種のメモリカード放置の表示図である。
【図６】本考案のトレイの第３種のメモリカード放置の表示図である。
【符号の説明】
【００１８】
１０  アダプタ本体                  １１  開口
１２  収容空間                      １３  端子溝
２０  トレイ                        ２１  スロット
２１ａ  ＳＤ部                      ２１ｂ  ＭＳ部
２２  弾力溝                        ２３  弾性部品
３０  プッシュスイッチ              ４０  ガイドブロック
４１  滑り溝                        ４１０  圧力釈放道
４１１  環形道                      ４１２  円弧部
５０  連接棒                        ６０  端子
６１  端子                          ６２  端子
７０  メモリカード                  ７１  メモリカード
７２  メモリカード
【図１】
0003104569.tif 000003
【図２】
0003104569.tif 000004
【図３】
0003104569.tif 000005
【図４】
0003104569.tif 000006
【図５】
0003104569.tif 000007
【図６】
0003104569.tif 000008